(57)【要約】    【課題】２線の信号線を経由して接続される子機及び親機の間で音声信号を送受信して通話を成立させるにあたり、ハイブリッドバランスを崩さずに信号線への送出信号の信号レベルの低下を防止するとともに、低電圧による動作を可能として省電力化を図る。    【解決手段】子機ハイブリッド回路１０５を備えた子機１と親機ハイブリッド回路２０５を備えた親機２との間を２線の信号線Ｌ1、Ｌ2を経由して接続し、この信号線を介し音声信号を送受信して通話を成立させるにあたり、音声信号が信号線側から入力された際に、信号線側から見た入力インピーダンスを増大し、信号線側へ音声信号を出力する際には出力インピーダンスが低減するように、入力インピーダンス及び出力インピーダンスを動的に変化させる。  【選択図】図１
2008085953.tif 000002
【特許請求の範囲】
【請求項１】
子機ハイブリッド回路（１０５）を備えた子機（１）を、２線の信号線（Ｌ1、Ｌ2）を経由して、親機ハイブリッド回路（２０５）を備えた親機（２）に接続する２線式インターホン装置であって、
前記子機ハイブリッド回路及び前記親機ハイブリッド回路のうち何れか一方には反転増幅器（ＯＰ151、ＯＰ251）を用いたフィードバック回路を設けることにより、音声信号が前記信号線側から入力された際に、前記信号線側から見た入力インピーダンスを増大し、前記信号線側へ音声信号を出力する際には出力インピーダンスを低減することにより、前記子機ハイブリッド回路及び前記親機ハイブリッド回路のハイブリッドバランスを崩さずに前記信号線への送出信号の信号レベルの低下を防止することを特徴とする２線式インターホン装置。
【請求項２】
子機マイク（１０１）から子機マイクアンプ（１０３）に送出される音声信号、子機スピーカアンプ（１０４）から子機スピーカ（１０２）に送出される音声信号をそれぞれ２線／４線変換・４線／２線変換するための子機ハイブリッド回路（１０５）を備えた子機（１）を、２線の信号線（Ｌ1、Ｌ2）を経由して、親機スピーカアンプ（２０３）から親機スピーカ（２０１）に送出される音声信号、親機マイク（２０２）から親機マイクアンプ（２０４）に送出される音声信号をそれぞれ４線／２線変換・２線／４線変換するための親機ハイブリッド回路（２０５）を備えた親機（２）に接続する２線式インターホン装置であって、
前記子機ハイブリッド回路は、４個のアーム抵抗（Ｒ150a、Ｒ150b、Ｒ150c、Ｒ150d）から構成されるブリッジ（ＲＢ150）の２対の節点（Ｐ1a・Ｐ1b、Ｐ1c・Ｐ1d）のうち一方の対である節点（Ｐ1a・Ｐ1b）の一方の接点（Ｐ1a）には前記子機マイクアンプを差動出力アンプ（Ａｍｐ150）を経由して挿入し、他方の節点（Ｐ1b）には前記子機スピーカアンプを接続し、
前記２対の節点のうち他方の節点（Ｐ1c・Ｐ1d）の間に直列接続された２個の抵抗（Ｒ154、Ｒ155）を中点（Ｐ1e）で分岐し、当該分岐を反転増幅器（ＯＰ151）を経由して前記子機マイクアンプに接続帰還させるループを形成する（但し、Ｒ150c、Ｒ150d＜Ｒ150a、Ｒ150b＜＜Ｒ154、Ｒ155の条件を満たす。）とともに、その１つの節点（Ｐ1c）に子機整合抵抗（Ｒ152）、前記信号線のライン抵抗（ＲL1、ＲL2）を経由して親機整合抵抗（Ｒ252）を有する前記親機を接続し、もう１つの節点（Ｐ1d）に子機バランス抵抗（Ｒ153）を接続することにより、前記親機から前記信号線を経由して伝送されてくる音声信号を前記子機スピーカアンプに送出するときには入力インピーダンスを増大し、前記子機マイクアンプを経由して前記信号線に音声信号を送出するときには出力インピーダンスを低減し、前記信号線を経由して送受信される前記音声信号の減衰量を抑えてハイブリッドバランスを確保し前記信号線への送出信号の信号レベルの低下を防止することを特徴とする２線式インターホン装置。
【請求項３】
前記子機整合抵抗≦前記親機整合抵抗とすることにより、前記子機から見た際の入力インピーダンスを前記信号線側から前記親機への信号伝送時の減衰量（Ａ1）を小さな値として、信号減衰を抑え、且つ前記信号線側から見た際の出力インピーダンスを前記親機から前記子機への信号伝送時の減衰量（Ａ2）を抑えつつハイブリッドバランスを確保することを特徴とする請求項２記載の２線式インターホン装置。
【請求項４】
子機マイク（１０１）から子機マイクアンプ（１０３）に送出される音声信号、子機スピーカアンプ（１０４）から子機スピーカ（１０２）に送出される音声信号をそれぞれ２線／４線変換・４線／２線変換するための子機ハイブリッド回路（１０５）を備えた子機（１）を、２線の信号線（Ｌ1、Ｌ2）を経由して、親機スピーカアンプ（２０３）から親機スピーカ（２０１）に送出される音声信号、親機マイク（２０２）から親機マイクアンプ（２０４）に送出される音声信号をそれぞれ４線／２線変換・２線／４線変換するための親機ハイブリッド回路（２０５）を備えた親機（２）に接続する２線式インターホン装置であって、
前記親機ハイブリッド回路は、４個のアーム抵抗（Ｒ250a、Ｒ250b、Ｒ250c、Ｒ250d）から構成されるブリッジ（ＲＢ250）の２対の節点（Ｐ2a・Ｐ2b、Ｐ2c・Ｐ2d）のうち一方の対である節点（Ｐ2a・Ｐ2b）の一方の接点（Ｐ2a）には前記親機マイクアンプを差動出力アンプ（Ａｍｐ250）を経由して挿入し、他方の節点（Ｐ2b）には前記親機スピーカアンプを接続し、
前記２対の節点のうち他方の節点（Ｐ2c・Ｐ2d）の間に直列接続された２個の抵抗（Ｒ254、Ｒ255）を中点（Ｐ2e）で分岐し、当該分岐を反転増幅器（ＯＰ251）を経由して前記親機マイクアンプに接続帰還させるループを形成する（但し、Ｒ250c、Ｒ250d＜Ｒ250a、Ｒ250b＜＜Ｒ254、Ｒ255の条件を満たす。）とともに、その１つの節点（Ｐ2c）に親機整合抵抗（Ｒ252）、前記信号線のライン抵抗（ＲL1、ＲL2）を経由して子機整合抵抗（Ｒ152）を有する前記子機を接続し、もう１つの節点（Ｐ2d）に親機バランス抵抗（Ｒ253）を接続することにより、前記子機から前記信号線を経由して伝送されてくる音声信号を前記親機スピーカアンプに送出するときには入力インピーダンスを増大し、前記親機マイクアンプを経由して前記信号線に音声信号を送出するときには出力インピーダンスを低減し、前記信号線を経由して送受信される前記音声信号の減衰量を抑えてハイブリッドバランスを確保し前記信号線への送出信号の信号レベルの低下を防止することを特徴とする２線式インターホン装置。
【請求項５】
前記親機整合抵抗≦前記子機整合抵抗とすることにより、前記親機から見た際の入力インピーダンスを前記信号線側から前記子機への信号伝送時の減衰量（Ａ2）を小さな値として、信号減衰を抑え、且つ前記信号線側から見た際の出力インピーダンスを前記子機から前記親機への信号伝送時の減衰量（Ａ1）を抑えつつハイブリッドバランスを確保することを特徴とする請求項４記載の２線式インターホン装置。
【発明の詳細な説明】
【技術分野】
【０００１】
本発明は、２線の信号線を経由して接続される子機及び親機の間で音声信号を送受信して通話を成立させることができる２線式インターホン装置に係り、特に、ハイブリッドバランスを崩さずに信号線への送出信号の信号レベルの低下を防止するとともに、低電圧による動作を可能として省電力化が図られた２線式インターホン装置に関する。
【背景技術】
【０００２】
従来から、この種の２線式インターホン装置として、図４に示す構成の２線式インターホン装置が知られている。なお、図４は、従来例の２線式インターホン装置が有する通話機能の構成を示すブロック図であり、２線の信号線Ｌ5、Ｌ6を経由して接続される子機５及び親機６のうち、子機５には、子機通話部５０１、子機ハイブリッド回路５０２が備えられている。一方、親機６には、親機通話部６０１、親機ハイブリッド回路６０２が備えられている。
【０００３】
図５、図６はそれぞれ、子機５の子機ハイブリッド回路５０２、親機６の親機ハイブリッド回路６０２の具体的な構成を示している。ここで、子機ハイブリッド回路５０２には、差動出力アンプＡｍｐ520と、反転増幅器（オペアンプと同意。）ＯＰ520と、４個のアーム抵抗Ｒ520a、Ｒ520b、Ｒ520c、Ｒ520dから構成されるブリッジ（以下、子機抵抗ブリッジという。）ＲＢ520と、子機整合抵抗Ｒ521と、子機バランス抵抗Ｒ522とを有している。また、親機ハイブリッド回路６０２には、差動出力アンプＡｍｐ620と、反転増幅器ＯＰ620と、４個のアーム抵抗Ｒ620a、Ｒ620b、Ｒ620c、Ｒ620dから構成されるブリッジ（以下、親機抵抗ブリッジという。）ＲＢ620と、親機整合抵抗Ｒ621と、親機バランス抵抗Ｒ622とを有している。さらに、２線の信号線Ｌ5、Ｌ6はそれぞれ、ライン抵抗ＲL5、ＲL6を有している。
【０００４】
このように構成された従来例の２線式インターホン装置において、図５に示す子機５の子機ハイブリッド回路５０２を構成する子機整合抵抗Ｒ521、子機バランス抵抗Ｒ522、２線の信号線Ｌ5、Ｌ6の各ライン抵抗ＲL5、ＲL6、及び親機６の親機整合抵抗Ｒ621は、式（１）に示す関係を有している。なお、子機整合抵抗Ｒ521は、２線の信号線Ｌ5、Ｌ6側から見た際には子機５の入力インピーダンスとなり、子機５から２線の信号線Ｌ5、Ｌ6側を見た際には当該子機の出力インピーダンスとなる。
【０００５】
【数１】
2008085953.tif 000003
【０００６】
また、図６に示す親機６の親機ハイブリッド回路６０２を構成する親機整合抵抗Ｒ621、親機バランス抵抗Ｒ622、２線の信号線Ｌ5、Ｌ6の各ライン抵抗ＲL5、ＲL6、及び子機５の子機整合抵抗Ｒ521は、式（２）に示す関係を有している。なお、親機整合抵抗Ｒ621は、２線の信号線Ｌ5、Ｌ6側から見た際には親機６の入力インピーダンスとなり、親機６から２線の信号線Ｌ5、Ｌ6側を見た際には当該親機の出力インピーダンスとなる。
【０００７】
【数２】
2008085953.tif 000004
【０００８】
ここで、図４に示す子機５の子機通話部５０１を使用して入力された音声（送話音声）である音声信号Ｓ501は、図５に示す子機ハイブリッド回路５０２を構成する差動出力アンプＡｍｐ520、子機抵抗ブリッジＲＢ520、子機整合抵抗Ｒ521、２線の信号線Ｌ5、Ｌ6を経由して親機６の親機整合抵抗Ｒ621に伝送されるにあたり、式（３）に示す減衰量Ａ501を受けて減衰された後、図６に示す親機ハイブリッド回路６０２を構成する親機抵抗ブリッジＲＢ620、反転増幅器ＯＰ620を経由して親機通話部６０１に伝送される。
【０００９】
【数３】
2008085953.tif 000005
【００１０】
一方、図４に示す親機６の親機通話部６０１を使用して入力された音声（送話音声）である音声信号Ｓ502は、図６に示す親機ハイブリッド回路６０２を構成する差動出力アンプＡｍｐ620、親機抵抗ブリッジＲＢ620、親機整合抵抗Ｒ621、２線の信号線Ｌ5、Ｌ6を経由して子機５の子機整合抵抗Ｒ521に伝送されるにあたり、式（４）に示す減衰量Ａ502を受けて減衰された後、図５に示す子機ハイブリッド回路５０２を構成する子機抵抗ブリッジＲＢ520、反転増幅器ＯＰ520を経由して子機通話部５０１に伝送される。
【００１１】
【数４】
2008085953.tif 000006
【００１２】
また、前述までの２線式インターホン装置とは異なる別途の従来例として、モデム装置の入力インピーダンスがモデム装置に応じてばらつくことになっても送受信される音声信号やデータ信号の通信品質の劣化を防止できる無線通信装置が開示されている（例えば、特許文献１を参照。）。
【００１３】
【特許文献１】特開平８−１０２６９５号公報（段落番号「００１３」、第２図）
【発明の開示】
【発明が解決しようとする課題】
【００１４】
背景技術に記載した従来例の２線式インターホン装置において、２線の信号線Ｌ5、Ｌ6を経由して接続される子機５及び親機６の間で音声信号Ｓ501、Ｓ502を送受信して通話を成立させるにあたっては、ライン抵抗ＲL5、ＲL6の影響を受け難くして減衰量Ａ501、Ａ502がそれぞれ抑えられるように、子機整合抵抗Ｒ521、子機バランス抵抗Ｒ522、親機整合抵抗Ｒ621、親機バランス抵抗Ｒ622の各抵抗値を設定することが好ましいとされる。また、２線の信号線Ｌ5、Ｌ6上におけるＳ／Ｎ比を確保するためにも、当該信号線への送出信号の信号レベルは可能な限り大きくすることが望ましいとされる。
【００１５】
そこで、減衰量Ａ501、Ａ502が同時に抑えられる条件としては、「Ｒ521＝Ｒ621」であり、「Ｒ521＝Ｒ621＞＞ＲL5＋ＲL6」が成立する場合には、減衰量Ａ501、Ａ502はそれぞれ「６ｄＢ」となる。また、２線の信号線Ｌ5、Ｌ6上におけるＳ／Ｎ比を確保するにあたり、当該信号線への送出信号の信号レベルを可能な限り大きくするためには、前述の「６ｄＢ」の減衰を補正するために、少なくとも６ｄＢ以上の増幅度及びダイナミックレンジを確保する必要があった。しかしながら、補正の動作を実行するにあたっては、特に、子機５内における通話成立用の動作電源が十分に確保できる場合にのみその動作は容易であるが、低電圧による動作を可能として低電圧化を図るにあたっては、前述の抵抗値の条件を満たせない虞があった。
【００１６】
本発明は、この難点を解消するためになされたもので、子機及び親機の間を接続する２線の信号線の信号線側から見た入力インピーダンスと当該信号線への出力インピーダンスとを動的に変化させることにより、ハイブリッドバランスを崩さずに信号線への送出信号の信号レベルの低下を防止するとともに、低電圧による動作を可能として省電力化が図られた２線式インターホン装置を提供することを目的としている。
【課題を解決するための手段】
【００１７】
前述の目的を達成するため、本発明の第１の態様である２線式インターホン装置は、子機ハイブリッド回路を備えた子機を、２線の信号線を経由して、親機ハイブリッド回路を備えた親機に接続する当該装置である。子機ハイブリッド回路及び親機ハイブリッド回路のうち何れか一方には反転増幅器を用いたフィードバック回路を設けることにより、音声信号が信号線側から入力された際に、信号線側から見た入力インピーダンスを増大し、信号線側へ音声信号を出力する際には出力インピーダンスを低減することにより、子機ハイブリッド回路及び親機ハイブリッド回路のハイブリッドバランスを崩さずに信号線への送出信号の信号レベルの低下を防止するものである。
【００１８】
また、本発明の第２の態様である２線式インターホン装置は、子機マイクから子機マイクアンプに送出される音声信号、子機スピーカアンプから子機スピーカに送出される音声信号をそれぞれ２線／４線変換・４線／２線変換するための子機ハイブリッド回路を備えた子機を、２線の信号線を経由して、親機スピーカアンプから親機スピーカに送出される音声信号、親機マイクから親機マイクアンプに送出される音声信号をそれぞれ４線／２線変換・２線／４線変換するための親機ハイブリッド回路を備えた親機に接続する当該装置である。子機ハイブリッド回路は、４個のアーム抵抗Ｒ150a、Ｒ150b、Ｒ150c、Ｒ150dから構成されるブリッジの２対の節点のうち一方の対である節点の一方の接点には子機マイクアンプを差動出力アンプを経由して挿入し、他方の節点には子機スピーカアンプを接続するものであり、２対の節点のうち他方の節点の間に直列接続された２個の抵抗Ｒ154、Ｒ155を中点で分岐し、当該分岐を反転増幅器を経由して子機マイクアンプに接続帰還させるループを形成する（但し、Ｒ150c、Ｒ150d＜Ｒ150a、Ｒ150b＜＜Ｒ154、Ｒ155の条件を満たす。）とともに、その１つの節点に子機整合抵抗、信号線のライン抵抗を経由して親機整合抵抗を有する親機を接続し、もう１つの節点に子機バランス抵抗を接続することにより、親機から信号線を経由して伝送されてくる音声信号を子機スピーカアンプに送出するときには入力インピーダンスを増大し、子機マイクアンプを経由して信号線に音声信号を送出するときには出力インピーダンスを低減し、信号線を経由して送受信される音声信号の減衰量を抑えてハイブリッドバランスを確保し信号線への送出信号の信号レベルの低下を防止するものである。
【００１９】
また、本発明の第３の態様である２線式インターホン装置は、本発明の第２の態様において、子機整合抵抗≦親機整合抵抗とすることにより、子機から見た際の入力インピーダンスを信号線側から親機への信号伝送時の減衰量を小さな値として、信号減衰を抑え、且つ信号線側から見た際の出力インピーダンスを親機から子機への信号伝送時の減衰量を抑えつつハイブリッドバランスを確保するものである。
【００２０】
また、本発明の第４の態様である２線式インターホン装置は、子機マイクから子機マイクアンプに送出される音声信号、子機スピーカアンプから子機スピーカに送出される音声信号をそれぞれ２線／４線変換・４線／２線変換するための子機ハイブリッド回路を備えた子機を、２線の信号線を経由して、親機スピーカアンプから親機スピーカに送出される音声信号、親機マイクから親機マイクアンプに送出される音声信号をそれぞれ４線／２線変換・２線／４線変換するための親機ハイブリッド回路を備えた親機に接続する当該装置である。親機ハイブリッド回路は、４個のアーム抵抗Ｒ250a、Ｒ250b、Ｒ250c、Ｒ250dから構成されるブリッジの２対の節点のうち一方の対である節点の一方の接点には親機マイクアンプを差動出力アンプを経由して挿入し、他方の節点には親機スピーカアンプを接続するものであり、２対の節点のうち他方の節点の間に直列接続された２個の抵抗Ｒ254、Ｒ255を中点で分岐し、当該分岐を反転増幅器を経由して親機マイクアンプに接続帰還させるループを形成する（但し、Ｒ250c、Ｒ250d＜Ｒ250a、Ｒ250b＜＜Ｒ254、Ｒ255の条件を満たす。）とともに、その１つの節点に親機整合抵抗、信号線のライン抵抗を経由して子機整合抵抗を有する子機を接続し、もう１つの節点に親機バランス抵抗を接続することにより、子機から信号線を経由して伝送されてくる音声信号を親機スピーカアンプに送出するときには入力インピーダンスを増大し、親機マイクアンプを経由して信号線に音声信号を送出するときには出力インピーダンスを低減し、信号線を経由して送受信される音声信号の減衰量を抑えてハイブリッドバランスを確保し信号線への送出信号の信号レベルの低下を防止するものである。
【００２１】
また、本発明の第５の態様である２線式インターホン装置は、本発明の第４の態様において、親機整合抵抗≦子機整合抵抗とすることにより、親機から見た際の入力インピーダンスを信号線側から子機への信号伝送時の減衰量を小さな値として、信号減衰を抑え、且つ信号線側から見た際の出力インピーダンスを子機から親機への信号伝送時の減衰量を抑えつつハイブリッドバランスを確保するものである。
【発明の効果】
【００２２】
本発明の２線式インターホン装置によれば、子機ハイブリッド回路を備えた子機と親機ハイブリッド回路を備えた親機との間を２線の信号線を経由して接続し、この信号線を介し音声信号を送受信して通話を成立させるにあたり、音声信号が信号線側から入力された際に、信号線側から見た入力インピーダンスを増大し、信号線側へ音声信号を出力する際には出力インピーダンスが低減するように、入力インピーダンス及び出力インピーダンスを動的に変化させることができる。これにより、子機ハイブリッド回路及び親機ハイブリッド回路のハイブリッドバランスを崩さずに信号線への送出信号の信号レベルの低下を防止することができるばかりでなく、低電圧による動作が可能となり省電力化が図られる。
【００２３】
また、本発明の２線式インターホン装置によれば、子機マイク、子機スピーカ、子機マイクアンプ、子機スピーカアンプ及び子機ハイブリッド回路を備えた子機と、親機スピーカ、親機マイク、親機スピーカアンプ、親機マイクアンプ及び親機ハイブリッド回路を備えた親機との間を２線の信号線を経由して接続し、この信号線を介し音声信号を送受信して通話を成立させるにあたり、親機から信号線を経由して伝送されてくる音声信号を子機スピーカアンプに送出するときには入力インピーダンスを増大し、子機マイクアンプを経由して信号線に音声信号を送出するときには出力インピーダンスが低減するように、入力インピーダンス及び出力インピーダンスを動的に変化させることができる。これにより、信号線を経由して送受信される音声信号の減衰量が抑えられ、ハイブリッドバランスを崩さずに当該信号線への送出信号の信号レベルの低下を防止することができるばかりでなく、低電圧による動作が可能となり省電力化が図られる。
【００２４】
さらに、本発明の２線式インターホン装置によれば、子機マイク、子機スピーカ、子機マイクアンプ、子機スピーカアンプ及び子機ハイブリッド回路を備えた子機と、親機スピーカ、親機マイク、親機スピーカアンプ、親機マイクアンプ及び親機ハイブリッド回路を備えた親機との間を２線の信号線を経由して接続し、この信号線を介し音声信号を送受信して通話を成立させるにあたり、子機から信号線を経由して伝送されてくる音声信号を親機スピーカアンプに送出するときには入力インピーダンスを増大し、親機マイクアンプを経由して信号線に音声信号を送出するときには出力インピーダンスが低減するように、入力インピーダンス及び出力インピーダンスを動的に変化させることができる。これにより、信号線を経由して送受信される音声信号の減衰量が抑えられ、ハイブリッドバランスを崩さずに当該信号線への送出信号の信号レベルの低下を防止することができるばかりでなく、低電圧による動作が可能となり省電力化が図られる。
【発明を実施するための最良の形態】
【００２５】
以下、本発明の２線式インターホン装置を適用した最良の実施の形態例について、図面を参照して説明する。
【００２６】
図１は、本発明の実施例による２線式インターホン装置の構成を示すブロック図である。この２線式インターホン装置は、玄関（住戸玄関）に設置される子機１と、住戸内に設置され、２線の信号線Ｌ1、Ｌ2を経由して接続された子機１からの呼び出しに応答して通話を成立するための親機２とが設けられている。
【００２７】
子機１には、呼出ボタン１００、子機マイク１０１、子機スピーカ１０２、子機マイクアンプ１０３、子機スピーカアンプ１０４、子機ハイブリッド回路１０５、子機インピーダンス調整回路１０６、子機電源回路１０７、及び子機インターフェース（以下、子機Ｉ／Ｆという。）１０８が備えられている。
【００２８】
この子機１において、呼出ボタン１００は、玄関に居る人物、例えば、来訪者が、住戸内に在室中の人物、例えば、居住者を呼び出すために呼出操作を行うものである。
【００２９】
子機マイク１０１及び子機スピーカ１０２は、呼出操作を行った来訪者が居住者との間で通話を成立させるために音声（送話音声、受話音声）を入出力するものである。また、子機マイクアンプ１０３は、子機マイク１０１に入力された音声（送話音声）である音声信号を増幅するためのものであり、子機スピーカアンプ１０４は、子機スピーカ１０２から出力される音声（受話音声）である音声信号を増幅するためのものである。さらに、子機ハイブリッド回路１０５は、子機マイクアンプ１０３を経由して増幅された音声信号を４線／２線変換して子機Ｉ／Ｆ１０８に送出するとともに、親機２から２線の信号線Ｌ1、Ｌ2、子機Ｉ／Ｆ１０８を経由して伝送されてくる音声信号を２線／４線変換して子機スピーカアンプ１０４に送出するためのものである。
【００３０】
子機インピーダンス調整回路１０６は、親機２から２線の信号線Ｌ1、Ｌ2、子機Ｉ／Ｆ１０８を経由して供給されてくる直流電源（直流電圧）のインピーダンスを調整するためのものである。また、子機電源回路１０７は、子機インピーダンス調整回路１０６を経由してインピーダンスが調整された直流電源（直流電圧）を待受電源又は動作電源として、子機１の構成各部／回路にそれぞれ電源供給するためのものである。
【００３１】
子機Ｉ／Ｆ１０８は、呼出ボタン１００から２線の信号線Ｌ1、Ｌ2への伝送路、子機ハイブリッド回路１０５及び２線の信号線Ｌ1、Ｌ2の間の伝送路（通話路）、２線の信号線Ｌ1、Ｌ2から子機インピーダンス調整回路１０６への電源供給路をそれぞれ形成するためのものである。
【００３２】
また、親機２には、呼出検出回路２００、親機スピーカ２０１、親機マイク２０２、親機スピーカアンプ２０３、親機マイクアンプ２０４、親機ハイブリッド回路２０５、通話ボタン２０６、親機電源回路２０７、子機用電源供給回路２０８、親機インピーダンス調整回路２０９、ＣＰＵ２１０、及び親機インターフェース（以下、親機Ｉ／Ｆという。）２１１が備えられている。
【００３３】
この親機２において、呼出検出回路２００は、子機１の呼出ボタン１００を使用して呼出操作を行った来訪者からの呼び出しがあることを検出し、その旨の呼出検出信号を生成してＣＰＵ２１０に送出するためのものである。
【００３４】
親機マイク２０２及び親機スピーカ２０１は、居住者が来訪者との間で通話を成立させるために音声（送話音声、受話音声）を入出力するものであり、この親機スピーカ２０１は、来訪者からの呼び出しがある旨の呼出音や音声メッセージ等を放音することができる。また、親機スピーカアンプ２０３は、親機スピーカ２０１から出力される音声（送話音声）である音声信号又は呼出音や音声メッセージ等である呼出音信号を増幅するためのものであり、親機マイクアンプ２０４は、親機マイク２０２に入力された音声（送話音声）である音声信号を増幅するためのものである。さらに、親機ハイブリッド回路２０５は、親機マイクアンプ２０４を経由して増幅された音声信号を４線／２線変換して親機Ｉ／Ｆ２１１に送出するとともに、子機１から２線の信号線Ｌ1、Ｌ2、親機Ｉ／Ｆ２１１を経由して伝送されてくる音声信号を２線／４線変換して親機スピーカアンプ２０３に送出するためのものである。
【００３５】
通話ボタン２０６は、来訪者からの呼び出しに居住者が応答するために応答操作を行うとともに、成立されていた通話を終了させるために終話操作（詳述せず。）を行うものである。
【００３６】
親機電源回路２０７は、商用電源について整流／平滑させた直流電源（直流電圧）を待受電源又は動作電源として、当該親機の構成各部／回路にそれぞれ電源供給するためのものである。また、子機用電源供給回路２０８は、親機電源回路２０７にて整流／平滑された直流電源（直流電圧）を子機１の子機電源回路１０７に供給するためのものである。さらに、親機インピーダンス調整回路２０９は、子機用電源供給回路２０８から親機Ｉ／Ｆ２１１を経由して２線の信号線Ｌ1、Ｌ2に供給される直流電源（直流電圧）のインピーダンスを調整するためのものである。
【００３７】
ＣＰＵ２１０は、当該親機の構成各部／回路をそれぞれ制御するためのものである。具体的な制御として、ＣＰＵ２１０は、呼出検出回路２００からの呼出検出信号を受信すると、親機スピーカ２０１から放音される呼出音や音声メッセージ等である呼出音信号を生成して親機スピーカアンプ２０３に送出するとともに、親機電源回路２０７及び子機用電源供給回路２０８をそれぞれ制御して動作電源の供給を開始することができる。また、ＣＰＵ２１０は、通話ボタン２０６の使用による応答操作（又は終話操作）を検出して親機ハイブリッド回路２０５を制御し、親機マイク２０２及び親機スピーカ２０１と親機マイクアンプ２０４及び親機スピーカアンプ２０３を経由して親機Ｉ／Ｆ２１１との間の伝送路（通話路）を形成（又は遮断）することができる。
【００３８】
親機Ｉ／Ｆ２１１は、２線の信号線Ｌ1、Ｌ2から呼出検出回路２００への伝送路、親機ハイブリッド回路２０５及び２線の信号線Ｌ1、Ｌ2の間の伝送路（通話路）、親機インピーダンス調整回路２０９から２線の信号線Ｌ1、Ｌ2への電源供給路をそれぞれ形成するためのものである。
【００３９】
図２は、本発明の実施例による２線式インターホン装置において、子機１が有する通話機能の構成を示す電気回路図であり、子機マイクアンプ１０３、子機スピーカアンプ１０４及び子機ハイブリッド回路１０５の具体的な構成を示している。
【００４０】
図２に示す子機１の子機マイクアンプ１０３は、反転増幅器ＯＰ130と、反転増幅器ＯＰ130の反転入力端子に接続される入力抵抗Ｒ130と、反転増幅器ＯＰ130の反転入力端子及び出力端子の間に接続される帰還抵抗Ｒ131と、反転増幅器ＯＰ130の出力端子に接続される出力抵抗Ｒ132とを有している。また、反転増幅器ＯＰ130の非反転入力端子には、基準電位点が接続（アース接地）されている。さらに、入力抵抗Ｒ130には、子機マイク１０１が接続されている。
【００４１】
子機１の子機スピーカアンプ１０４は、反転増幅器ＯＰ140と、反転増幅器ＯＰ140の反転入力端子に接続される入力抵抗Ｒ140と、反転増幅器ＯＰ140の反転入力端子及び出力端子の間に接続される帰還抵抗Ｒ141とを有している。また、反転増幅器ＯＰ140の非反転入力端子には、基準電位点が接続（アース接地）されている。さらに、反転増幅器ＯＰ140の出力端子には、子機スピーカ１０２が接続されている。
【００４２】
子機１の子機ハイブリッド回路１０５には、４個のアーム抵抗Ｒ150a、Ｒ150b、Ｒ150c、Ｒ150dから構成され、２対の節点Ｐ1a・Ｐ1b、Ｐ1c・Ｐ1dを有するブリッジ（以下、子機抵抗ブリッジという。）ＲＢ150と、子機抵抗ブリッジＲＢ150が有する２対の節点Ｐ1a・Ｐ1b、Ｐ1c・Ｐ1dのうち一方の対である節点Ｐ1a・Ｐ1bの一方の節点Ｐ1aに正相出力端子（＋）及び反転出力端子（−）がそれぞれ接続される差動出力アンプＡｍｐ150と、一方の対である節点Ｐ1a・Ｐ1bの他方の節点Ｐ1bに反転入力端子が接続されるスピーカ側反転増幅器ＯＰ150と、スピーカ側反転増幅器ＯＰ150の反転入力端子及び出力端子の間に接続される帰還抵抗Ｒ151と、子機抵抗ブリッジＲＢ150が有する２対の節点Ｐ1a・Ｐ1b、Ｐ1c・Ｐ1dのうち他方の対である節点Ｐ1c・Ｐ1dの一方の節点Ｐ1cに接続される子機整合抵抗Ｒ152と、他方の対である節点Ｐ1c・Ｐ1dの他方の節点Ｐ1dに接続される子機バランス抵抗Ｒ153と、他方の対である節点Ｐ1c・Ｐ1dの両端間に直列接続される２個の分圧抵抗Ｒ154、Ｒ155と、２個の分圧抵抗Ｒ154、Ｒ155の中点Ｐ1eに接続される入力抵抗Ｒ156と、反転入力端子に入力抵抗Ｒ156が接続されるマイク側反転増幅器ＯＰ151と、マイク側反転増幅器ＯＰ151の反転入力端子及び出力端子の間に接続される帰還抵抗Ｒ157と、マイク側反転増幅器ＯＰ151の出力端子及び子機マイクアンプ１０３を構成する反転増幅器ＯＰ130の反転入力端子の間に接続される出力抵抗Ｒ158とを有している。また、差動出力アンプＡｍｐ150の反転入力端子には、子機マイクアンプ１０３を構成する出力抵抗Ｒ132が接続されている。また、差動出力アンプＡｍｐ150、スピーカ側反転増幅器ＯＰ150、マイク側反転入力端子ＯＰ151の各非反転入力端子、及び子機バランス抵抗Ｒ153にはそれぞれ、基準電位点が接続（アース接地）されている。また、スピーカ側反転増幅器ＯＰ150の出力端子には、子機スピーカアンプ１０４を構成する入力抵抗Ｒ140が接続されている。また、子機整合抵抗Ｒ152には、子機Ｉ／Ｆ１０８を介し、２線の信号線Ｌ1、Ｌ2のうちライン抵抗ＲL1を有する一方の信号線Ｌ1を経由して親機２の後述する親機整合抵抗Ｒ252が接続されている。さらに、２線の信号線Ｌ1、Ｌ2のうちライン抵抗ＲL2を有する他方の信号線Ｌ2には、基準電位点が接続（アース接地）されている。
【００４３】
なお、子機１の子機ハイブリッド回路１０５を構成する子機抵抗ブリッジＲＢ150の４個のアーチ抵抗Ｒ150a、Ｒ150b、Ｒ150c、Ｒ150d、２個の分圧抵抗Ｒ154、Ｒ155は、その抵抗値として、「Ｒ150c、Ｒ150d＜Ｒ150a、Ｒ150b＜＜Ｒ154、Ｒ155」の関係を有しているものとする。
【００４４】
図３は、本発明の実施例による２線式インターホン装置において、親機２が有する通話機能の構成を示す電気回路図であり、親機スピーカアンプ２０３、親機マイクアンプ２０４及び親機ハイブリッド回路２０５の具体的な構成を示している。
【００４５】
図３に示す親機２の親機スピーカアンプ２０３は、反転増幅器ＯＰ230と、反転増幅器ＯＰ230の反転入力端子に接続される入力抵抗Ｒ230と、反転増幅器ＯＰ230の反転入力端子及び出力端子の間に接続される帰還抵抗Ｒ231とを有している。また、反転増幅器ＯＰ230の非反転入力端子には、基準電位点が接続（アース接地）されている。また、反転増幅器ＯＰ230の出力端子には、親機スピーカ２０１が接続されている。さらに、入力抵抗Ｒ230には、ＣＰＵ２１０が接続されている。
【００４６】
親機２の親機マイクアンプ２０４は、反転増幅器ＯＰ240と、反転増幅器ＯＰ240の反転入力端子に接続される入力抵抗Ｒ240と、反転増幅器ＯＰ240の反転入力端子及び出力端子の間に接続される帰還抵抗Ｒ241と、反転増幅器ＯＰ240の出力端子に接続される出力抵抗Ｒ242とを有している。また、反転増幅器ＯＰ240の非反転入力端子には、基準電位点が接続（アース接地）されている。さらに、入力抵抗Ｒ240には、親機マイク２０２が接続されている。
【００４７】
親機２の親機ハイブリッド回路２０５には、４個のアーム抵抗Ｒ250a、Ｒ250b、Ｒ250c、Ｒ250dから構成され、２対の節点Ｐ2a・Ｐ2b、Ｐ2c・Ｐ2dを有するブリッジ（以下、親機抵抗ブリッジという。）ＲＢ250と、親機抵抗ブリッジＲＢ250が有する２対の節点Ｐ2a・Ｐ2b、Ｐ2c・Ｐ2dのうち一方の対である節点Ｐ2a・Ｐ2bの一方の節点Ｐ2aに正相出力端子（＋）及び反転出力端子（−）がそれぞれ接続される差動出力アンプＡｍｐ250と、一方の対である節点Ｐ2a・Ｐ2bの他方の節点Ｐ2bに反転入力端子が接続されるスピーカ側反転増幅器ＯＰ250と、スピーカ側反転増幅器ＯＰ250の反転入力端子及び出力端子の間に接続される帰還抵抗Ｒ251と、親機抵抗ブリッジＲＢ250が有する２対の節点Ｐ2a・Ｐ2b、Ｐ2c・Ｐ2dのうち他方の対である節点Ｐ2c・Ｐ2dの一方の節点Ｐ2cに接続される親機整合抵抗Ｒ252と、他方の対である節点Ｐ2c・Ｐ2dの他方の節点Ｐ2dに接続される親機バランス抵抗Ｒ253と、他方の対である節点Ｐ2c・Ｐ2dの両端間に直列接続される２個の分圧抵抗Ｒ254、Ｒ255と、２個の分圧抵抗Ｒ254、Ｒ255の中点Ｐ2eに接続される入力抵抗Ｒ256と、反転入力端子に入力抵抗Ｒ256が接続されるマイク側反転増幅器ＯＰ251と、マイク側反転増幅器ＯＰ251の反転入力端子及び出力端子の間に接続される帰還抵抗Ｒ257と、マイク側反転増幅器ＯＰ251の出力端子及び親機マイクアンプ２０４を構成する反転増幅器ＯＰ240の反転入力端子の間に接続される出力抵抗Ｒ258とを有している。また、差動出力アンプＡｍｐ250の反転入力端子には、親機マイクアンプ２０４を構成する出力抵抗Ｒ242が接続されている。また、差動出力アンプＡｍｐ250、スピーカ側反転増幅器ＯＰ250、マイク側反転入力端子ＯＰ251の各非反転入力端子、及び親機バランス抵抗Ｒ253にはそれぞれ、基準電位点が接続（アース接地）されている。また、スピーカ側反転増幅器ＯＰ250の出力端子には、親機スピーカアンプ２０３を構成する入力抵抗Ｒ230が接続されている。また、親機整合抵抗Ｒ252には、親機Ｉ／Ｆ２１１を介し、２線の信号線Ｌ1、Ｌ2のうちライン抵抗ＲL1を有する一方の信号線Ｌ1を経由して子機１の子機整合抵抗Ｒ152が接続されている。さらに、２線の信号線Ｌ1、Ｌ2のうちライン抵抗ＲL2を有する他方の信号線Ｌ2には、基準電位点が接続（アース接地）されている。
【００４８】
なお、親機２の親機ハイブリッド回路２０５を構成する親機抵抗ブリッジＲＢ250の４個のアーチ抵抗Ｒ250a、Ｒ250b、Ｒ250c、Ｒ250d、２個の分圧抵抗Ｒ254、Ｒ255は、その抵抗値として、「Ｒ250c、Ｒ250d＜Ｒ250a、Ｒ250b＜＜Ｒ254、Ｒ255」の関係を有しているものとする。
【００４９】
このように構成された本発明の実施例による２線式インターホン装置において、以下、具体的な動作について説明する。
【００５０】
図１に示す子機１及び親機２が待受状態、すなわち、玄関に居る来訪者により子機１の呼出ボタン１００が操作されておらず、また、通話を成立していない状態において、親機２の親機電源回路２０７は、商用電源について整流／平滑させた直流電源（直流電圧）を待受電源として、当該親機の構成各部／回路にそれぞれ供給している。また、親機２の子機用電源供給回路２０８は、親機電源回路２０７にて整流／平滑された待受電源のインピーダンスを親機インピーダンス調整回路２０９を介し調整した後、親機Ｉ／Ｆ２１１を経由して２線の信号線Ｌ1、Ｌ2に重畳することができる。
【００５１】
子機１の子機電源回路１０７は、２線の信号線Ｌ1、Ｌ2に重畳され供給されてきた直流電源（直流電圧）であり、子機Ｉ／Ｆ１０８、子機インピーダンス調整回路１０６を介しインピーダンスが調整された待受電源を、当該子機の構成各部／回路にそれぞれ供給することができる。
【００５２】
次に、前述の待受状態時において、玄関に居る来訪者が住戸内に在室中の居住者を呼び出すために、図１に示す子機１の呼出ボタン１００を操作すると、２線の信号線Ｌ1、Ｌ2に重畳されている待受電源の電圧レベルが電圧降下する。この電圧降下をもとに来訪者からの呼び出しがあることを検出した親機２の呼出検出回路２００は、その旨の呼出検出信号Ｓ1を生成してＣＰＵ２１０に送出する。
【００５３】
親機２のＣＰＵ２１０は、呼出検出回路２００からの呼出検出信号Ｓ1を受信すると待受状態から呼出状態に移行され、玄関に居る来訪者からの呼び出しがある旨の呼出音や音声メッセージ等の呼出音信号Ｓ2を生成して、同図及び図３に示す親機スピーカアンプ２０３に送出するとともに、親機電源回路２０７を制御して、前述の待受電源よりも高い電圧レベルの動作電源を生成させる。この動作電源は、当該親機の構成各部／回路にそれぞれ供給されるばかりでなく、前述の待受電源と同様な電源供給路を経由して子機用電源供給回路２０８から子機１の子機電源回路１０７に供給される。また、子機電源回路１０７は、受電した動作電源を、当該子機の構成各部／回路にそれぞれ供給することができる。
【００５４】
図３に示す親機２の親機スピーカアンプ２０３において、反転増幅器ＯＰ230は、入力抵抗Ｒ230及び帰還抵抗Ｒ231の抵抗値の比に応じた増幅率で呼出音信号Ｓ2を増幅して親機スピーカ２０１に送出することにより、玄関に居る来訪者からの呼び出しがある旨の呼出音や音声メッセージ等を親機スピーカ２０１から放音させることができる。
【００５５】
また、親機２の親機スピーカ２０１から放音された呼出音や音声メッセージ等をもとに、玄関に居る来訪者からの呼び出しがあることを確認した住戸内に在室中の居住者が通話ボタン２０６を操作すると、この操作を検出して呼出状態から通話状態に移行されたＣＰＵ２１０により親機ハイブリッド回路２０５（及び子機１の子機ハイブリッド回路１０５）が制御される。この制御により、来訪者が使用する子機１の子機マイク１０１から子機マイクアンプ１０３、子機ハイブリッド回路１０５、子機Ｉ／Ｆ１０８、２線の信号線Ｌ1、Ｌ2、親機２の親機Ｉ／Ｆ２１１、親機ハイブリッド回路２０５、親機スピーカアンプ２０３を経由して居住者が使用する親機スピーカ２０１への伝送路（以下、上り通話路という。）と、居住者が使用する親機２の親機マイク２０２から親機マイクアンプ２０４、親機ハイブリッド回路２０５、親機Ｉ／Ｆ２１１、２線の信号線Ｌ1、Ｌ2、子機１の子機Ｉ／Ｆ１０８、子機ハイブリッド回路１０５、子機スピーカアンプ１０４を経由して来訪者が使用する子機スピーカ１０２への伝送路（以下、下り通話路という。）とがそれぞれ形成されることになる。
【００５６】
次に、第１の通話動作として、玄関に居る来訪者により図１に示す子機１の子機マイク１０１に入力された音声（送話音声）である音声信号（以下、上り音声信号という。）Ｓ3は、図２に示す子機マイクアンプ１０３を構成する入力抵抗Ｒ130及び帰還抵抗Ｒ131の抵抗値の比に応じた増幅率で反転増幅器ＯＰ130を介し増幅された後、出力抵抗Ｒ132、子機ハイブリッド回路１０５を構成する差動出力アンプＡｍｐ150、子機抵抗ブリッジＲＢ150、子機整合抵抗Ｒ152、子機Ｉ／Ｆ１０８を経由して２線の信号線Ｌ1、Ｌ2に重畳される。
【００５７】
ここで、子機１の子機ハイブリッド回路１０５を構成する子機整合抵抗Ｒ152、子機バランス抵抗Ｒ153、２線の信号線Ｌ1、Ｌ2の各ライン抵抗ＲL1、ＲL2、及び親機２の親機整合抵抗Ｒ252は、式（５）に示す関係を有している。なお、子機整合抵抗Ｒ152は、２線の信号線Ｌ1、Ｌ2側から見た際には子機１の入力インピーダンスとなり、子機１から２線の信号線Ｌ1、Ｌ2側を見た際には当該子機の出力インピーダンスとなるため、子機抵抗ブリッジＲＢ150を経由した上り音声信号Ｓ3が、スピーカ側反転増幅器ＯＰ150、子機スピーカアンプ１０４を構成する入力抵抗Ｒ140を介し反転増幅器ＯＰ140に伝送されることはなく、ゆえに、子機スピーカ１０２からの来訪者の音声（送話音声）の出力は防止される。
【００５８】
【数５】
2008085953.tif 000007
【００５９】
また、子機１の子機ハイブリッド回路１０５を構成する直列接続された２個の分圧抵抗Ｒ154、Ｒ155の中点Ｐ1eには、信号電圧が発生しないため、子機マイクアンプ１０３を介し増幅された上り音声信号Ｓ3は、２線の信号線Ｌ1、Ｌ2を経由して親機２の親機整合抵抗Ｒ252に伝送されるにあたり、式（６）に示す減衰量Ａ1を受けて減衰することから、図３に示す親機２の親機ハイブリッド回路２０５を構成する直列接続された２個の分圧抵抗Ｒ254、Ｒ255の中点Ｐ2eには、２線の信号線Ｌ1、Ｌ2に重畳された上り音声信号Ｓ3の信号レベルより例えば、６ｄＢ減衰された上り音声信号Ｓ3aが発生する。
【００６０】
【数６】
2008085953.tif 000008
【００６１】
一方、第２の通話動作として、住戸内に在室中により図１に示す親機２の親機マイク２０２に入力された音声（送話音声）である音声信号（以下、下り音声信号とする。）Ｓ4は、図３に示す親機マイクアンプ２０４を構成する入力抵抗Ｒ240及び帰還抵抗Ｒ241の抵抗値の比に応じた増幅率で反転増幅器ＯＰ240を介し増幅された後、出力抵抗Ｒ242、親機ハイブリッド回路２０５を構成する差動出力アンプＡｍｐ250、親機抵抗ブリッジＲＢ250、親機整合抵抗Ｒ252、親機Ｉ／Ｆ２１１を経由して２線の信号線Ｌ1、Ｌ2に重畳される。
【００６２】
ここで、親機２の親機ハイブリッド回路２０５を構成する親機整合抵抗Ｒ252、親機バランス抵抗Ｒ253、２線の信号線Ｌ1、Ｌ2の各ライン抵抗ＲL1、ＲL2、及び子機１の子機整合抵抗Ｒ152は、式（７）に示す関係を有している。なお、親機整合抵抗Ｒ252は、２線の信号線Ｌ1、Ｌ2側から見た際には親機２の入力インピーダンスとなり、親機２から２線の信号線Ｌ1、Ｌ2側を見た際には当該親機の出力インピーダンスとなるため、親機抵抗ブリッジＲＢ250を経由した下り音声信号Ｓ4が、スピーカ側反転増幅器ＯＰ250、親機スピーカアンプ２０３を構成する入力抵抗Ｒ230を介し反転増幅器ＯＰ240に伝送されることはなく、ゆえに、親機スピーカ２０１からの居住者の音声（送話音声）の出力は防止される。
【００６３】
【数７】
2008085953.tif 000009
【００６４】
また、親機２の親機ハイブリッド回路２０５を構成する直列接続された２個の分圧抵抗Ｒ254、Ｒ255の中点Ｐ2eには、信号電圧が発生しないため、親機マイクアンプ２０３を経由して増幅された下り音声信号Ｓ4は、２線の信号線Ｌ1、Ｌ2を経由して子機１の子機整合抵抗Ｒ152に伝送されるにあたり、式（８）に示す減衰量Ａ2を受けて減衰することから、図２に示す子機１の子機ハイブリッド回路１０５を構成する直列接続された２個の分圧抵抗Ｒ154、Ｒ155の中点Ｐ1eには、２線の信号線Ｌ1、Ｌ2に重畳された下り音声信号Ｓ4の信号レベルより例えば、６ｄＢ減衰された下り音声信号Ｓ4aが発生する。
【００６５】
【数８】
2008085953.tif 000010
【００６６】
次に、前述の第１の通話動作において明らかなように、図２に示す子機１の子機ハイブリッド回路１０５を構成する直列接続された２個の分圧抵抗Ｒ154、Ｒ155の中点Ｐ1eに発生した下り音声信号Ｓ4aは、入力抵抗Ｒ156及び帰還抵抗Ｒ157の抵抗値の比に応じた増幅率でマイク側反転増幅器ＯＰ151を介し増幅された後、出力抵抗Ｒ158を経由して子機マイクアンプ１０３を構成する反転増幅器ＯＰ130の反転入力端子に入力されるようにループ帰還するため、２線の信号線Ｌ1、Ｌ2に重畳された下り音声信号Ｓ4の信号レベルを「ＶS4」とし、反転増幅器ＯＰ130及び差動出力アンプＡｍｐ150の総合利得を「Ｇ1」とすると、差動出力アンプＡｍｐ150の出力段である正相出力端子（＋）、反転出力端子（−）にはそれぞれ、式（９）に示す出力信号Ｖ150（＋）、式（１０）に示す出力信号Ｖ150（−）が発生することになる。
【００６７】
【数９】
2008085953.tif 000011
【００６８】
【数１０】
2008085953.tif 000012
【００６９】
ここで、子機１の子機ハイブリッド回路１０５を構成する差動出力アンプＡｍｐ150の正相出力端子（＋）の出力信号Ｖ150＋及び反転出力端子−の出力信号Ｖ150−は、「（Ｖ150＋）＋（Ｖ150−）＝０」の関係が成立するため、各出力信号Ｖ150＋、Ｖ150−が、スピーカ側反転増幅器ＯＰ150、子機スピーカアンプ１０４を構成する入力抵抗Ｒ140を経由して反転増幅器ＯＰ140に伝送されることはない。
【００７０】
また、子機１の子機ハイブリッド回路１０５を構成する差動出力アンプＡｍｐ150の正相出力端子（＋）の出力信号がＶ150＋であるとき、子機整合抵抗Ｒ152の両端間に発生する電圧ＶR152は、式（１１）で表され、この子機整合抵抗Ｒ152に流れる電流ＩR152は、式（１２）で表される。
【００７１】
【数１１】
2008085953.tif 000013
【００７２】
【数１２】
2008085953.tif 000014
【００７３】
また、２線の信号線Ｌ1、Ｌ2側から見た子機１の入力インピーダンスを「Ｚ1」とすると、この入力インピーダンスＺ1は式（１３）で表され、「１−（Ｇ1／２）＞０」であり適切に総合利得「Ｇ1」の値を選択すると、親機２から２線の信号線Ｌ1、L2を経由して伝送されてくる下り音声信号Ｓ4を、子機ハイブリッド回路１０５を構成するスピーカ側反転増幅器ＯＰ150、子機スピーカアンプ１０４を経由して子機スピーカ１０２に送出し、子機スピーカアンプ１０４を構成する入力抵抗Ｒ140及び帰還抵抗Ｒ141の抵抗値の比に応じた増幅率で増幅される居住者の音声（受話音声）を子機スピーカ１０２から出力するときには、入力インピーダンスＺ1を増大することができる。一方、子機マイクアンプ１０３を経由して増幅された上り音声信号Ｓ3を、子機ハイブリッド回路１０５、子機Ｉ／Ｆ１０８を経由して２線の信号線Ｌ1、Ｌ2に送出するときには、出力インピーダンスを低減することができる。
【００７４】
【数１３】
2008085953.tif 000015
【００７５】
さらに、前述の式（８）に式（１３）を代入すると、２線の信号線Ｌ1、Ｌ2に重畳された下り音声信号Ｓ4の信号レベルと比較した下り音声信号Ｓ4aの減衰量Ａ2は、式（１４）で置き換えられる。
【００７６】
【数１４】
2008085953.tif 000016
【００７７】
この式（１４）の関係から、「子機整合抵抗Ｒ152≦親機整合抵抗Ｒ252」とすることにより、子機１から見た際の入力インピーダンスＺ1を２線の信号線Ｌ1、Ｌ2側から親機２への信号伝送時の式（６）に示す減衰量Ａ1を小さな値として、信号減衰を抑え、且つ２線の信号線Ｌ1、Ｌ2側から見た際の出力インピーダンスを親機２から子機１への信号伝送時の減衰量Ａ2を抑えつつハイブリッドバランスを確保することができる。また、動的に入力インピーダンスＺ1を変化させているため、子機１の子機マイクアンプ１０３を構成する反転増幅器ＯＰ130及び子機ハイブリッド回路２０５を構成する差動出力アンプＡｍｐ150の総合利得「Ｇ1」とダイナミックレンジとを増加させる必要がなく、低電圧による動作が可能となり省電力化が図られる。
【００７８】
次に、他の実施例として、前述の第２の通話動作において明らかなように、図３に示す親機２の親機ハイブリッド回路２０５を構成する直列接続された２個の分圧抵抗Ｒ254、Ｒ255の中点Ｐ2eに発生した上り音声信号Ｓ3aは、入力抵抗Ｒ256及び帰還抵抗Ｒ257の抵抗値の比に応じた増幅率でマイク側反転増幅器ＯＰ251を介し増幅された後、出力抵抗Ｒ258を経由して親機マイクアンプ２０４を構成する反転増幅器ＯＰ240の反転入力端子に入力されるようにループ帰還するため、２線の信号線Ｌ1、Ｌ2に重畳された上り音声信号Ｓ3の信号レベルを「ＶS3」とし、反転増幅器ＯＰ240及び差動出力アンプＡｍｐ250の総合利得を「Ｇ2」とすると、差動出力アンプＡｍｐ250の出力段である正相出力端子（＋）、反転出力端子（−）にはそれぞれ、式（１５）に示す出力信号Ｖ250＋、式（１６）に示す出力信号Ｖ250−が発生することになる。
【００７９】
【数１５】
2008085953.tif 000017
【００８０】
【数１６】
2008085953.tif 000018
【００８１】
ここで、親機２の親機ハイブリッド回路２０５を構成する差動出力アンプＡｍｐ250の正相出力端子（＋）の出力信号Ｖ250＋及び反転出力端子（−）の出力信号Ｖ250−は、「（Ｖ250＋）＋（Ｖ250−）＝０」の関係が成立するため、各出力信号Ｖ250＋、Ｖ250−が、スピーカ側反転増幅器ＯＰ250、親機スピーカアンプ２０３を構成する入力抵抗Ｒ230を経由して反転増幅器ＯＰ230に伝送されることはない。
【００８２】
また、親機２の親機ハイブリッド回路２０５を構成する差動出力アンプＡｍｐ250の正相出力端子（＋）の出力信号がＶ250＋であるとき、親機整合抵抗Ｒ252の両端間に発生する電圧ＶR252は、以下の式（１７）で表され、この親機整合抵抗Ｒ252に流れる電流ＩR252は、式（１８）で表される。
【００８３】
【数１７】
2008085953.tif 000019
【００８４】
【数１８】
2008085953.tif 000020
【００８５】
また、２線の信号線Ｌ1、Ｌ2側から見た親機２の入力インピーダンスを「Ｚ2」とすると、この入力インピーダンスＺ2は式（１９）で表され、「１−（Ｇ2／２）＞０」であり適切に総合利得「Ｇ2」の値を選択すると、子機１から２線の信号線Ｌ1、L2を経由して伝送されてくる上り音声信号Ｓ3を、親機ハイブリッド回路２０５を構成するスピーカ側反転増幅器ＯＰ250、親機スピーカアンプ２０３を経由して親機スピーカ２０１に送出し、親機スピーカアンプ２０３を構成する入力抵抗Ｒ230及び帰還抵抗Ｒ231の抵抗値の比に応じた増幅率で増幅される来訪者の音声（受話音声）を親機スピーカ２０１から出力するときには、入力インピーダンスＺ2を増大することができる。一方、親機マイクアンプ２０４を経由して増幅された下り音声信号Ｓ4を、親機ハイブリッド回路２０５、親機Ｉ／Ｆ２１１を経由して２線の信号線Ｌ1、Ｌ2に送出するときには、出力インピーダンスを低減することができる。
【００８６】
【数１９】
2008085953.tif 000021
【００８７】
さらに、前述の式（６）に式（１９）を代入すると、２線の信号線Ｌ1、Ｌ2に重畳された上り音声信号Ｓ3の信号レベルと比較した上り音声信号Ｓ3aの減衰量Ａ1は、式（２０）で置き換えられる。
【００８８】
【数２０】
2008085953.tif 000022
【００８９】
この式（２０）の関係から、「親機整合抵抗Ｒ252」≦「子機整合抵抗Ｒ152」とすることにより、親機２から見た際の入力インピーダンスＺ2を２線の信号線Ｌ1、Ｌ2側から子機１への信号伝送時の式（８）に示す減衰量Ａ2を小さな値として、信号減衰を抑え、且つ２線の信号線Ｌ1、Ｌ2側から見た際の出力インピーダンスを子機１から親機２への信号伝送時の減衰量Ａ1を抑えつつハイブリッドバランスを確保することができる。また、動的に入力インピーダンスＺ2を変化させているため、親機２の親機マイクアンプ２０４を構成する反転増幅器ＯＰ240及び親機ハイブリッド回路２０５を構成する差動出力アンプＡｍｐ250の総合利得「Ｇ2」とダイナミックレンジとを増加させる必要がなく、低電圧による動作が可能となり省電力化が図られる。
【００９０】
なお、本発明の２線式インターホン装置において、子機１の子機ハイブリッド回路１０５及び親機２の親機ハイブリッド回路２０５が並存する場合には、「入力インピーダンスＺ1＞親機整合抵抗Ｒ252」の関係、「入力インピーダンスＺ2＞子機整合抵抗Ｒ152」の関係をそれぞれ満たすことができれば、各減衰量Ａ1、Ａ2を抑えつつバイブリッドバランスが確保されるため、子機整合抵抗Ｒ152及び親機整合抵抗Ｒ252の抵抗値は任意の値でよい。
【００９１】
また、本発明の２線式インターホン装置においては、特定の実施の形態をもって説明してきたが、この形態に限定されるものでなく、本発明の効果を奏する限り、これまで知られた如何なる構成の２線式インターホン装置、例えば、２線の信号線Ｌ1、Ｌ2を経由して接続される子機１及び親機２として、来訪者の映像を撮像するための映像撮像機能を備えた子機１と、この子機１にて撮像された映像を出画するための映像出画機能を備えた親機２とを有する２線式インターホン装置であっても採用できるということはいうまでもないことである。
【図面の簡単な説明】
【００９２】
【図１】図１は、本発明の実施例による２線式インターホン装置の構成を示すブロック図である。
【図２】図２は、本発明の実施例による２線式インターホン装置において、子機が有する通話機能の構成を示す電気回路図であり、子機マイクアンプ、子機スピーカアンプ及び子機ハイブリッド回路の具体的な構成を示している。
【図３】図３は、本発明の実施例による２線式インターホン装置において、親機が有する通話機能の構成を示す電気回路図であり、親機スピーカアンプ、親機マイクアンプ及び親機ハイブリッド回路の具体的な構成を示している。
【図４】図４は、従来例の２線式インターホン装置が有する通話機能の構成を示すブロック図である。
【図５】図５は、従来例の２線式インターホン装置において、子機が有する通話機能の構成を示す電気回路図であり、子機ハイブリッド回路の具体的な構成を示している。
【図６】図６は、従来例の２線式インターホン装置において、親機が有する通話機能の構成を示す電気回路図であり、親機ハイブリッド回路の具体的な構成を示している。
【符号の説明】
【００９３】
１……子機
１０１……子機マイク
１０２……子機スピーカ
１０３……子機マイクアンプ
１０４……子機スピーカアンプ
１０５……子機ハイブリッド回路
ＯＰ151……マイク側反転増幅器（反転増幅器）
ＲＢ150……子機抵抗ブリッジ（ブリッジ）
Ｒ150a、Ｒ150b、Ｒ150c、Ｒ150d……４個のアーム抵抗
Ｐ1a・Ｐ1b、Ｐ1c・Ｐ1d……２対の節点
Ａｍｐ150……差動出力アンプ
Ｒ152……子機整合抵抗
Ｒ153……子機バランス抵抗
Ｒ154、Ｒ155……２個の分圧抵抗（抵抗）
Ｐ1e……（直列接続された２個の分圧抵抗の）中点
２……親機
２０１……親機スピーカ
２０２……親機マイク
２０３……親機スピーカアンプ
２０４……親機マイクアンプ
２０５……親機ハイブリッド回路
ＯＰ251……マイク側反転増幅器（反転増幅器）
ＲＢ250……親機抵抗ブリッジ（ブリッジ）
Ｒ250a、Ｒ250b、Ｒ250c、Ｒ250d……４個のアーム抵抗
Ｐ2a・Ｐ2b、Ｐ2c・Ｐ2d……２対の節点
Ａｍｐ250……差動出力アンプ
Ｒ252……親機整合抵抗
Ｒ253……親機バランス抵抗
Ｒ254、Ｒ255……２個の分圧抵抗（抵抗）
Ｐ2e……（直列接続された２個の分圧抵抗の）中点
Ａ1、Ａ2……減衰量
Ｌ1、Ｌ2……２線の信号線
ＲL1、ＲL2……ライン抵抗
【図１】
2008085953.tif 000023
【図２】
2008085953.tif 000024
【図３】
2008085953.tif 000025
【図４】
2008085953.tif 000026
【図５】
2008085953.tif 000027
【図６】
2008085953.tif 000028